(57)【要約】【課題】シリンダの着脱及びロックをより容易に行うことができるミートグラインダーを提供する。【解決手段】本発明に係るミートグラインダーは、本体部と、本体部に着脱自在に取り付けられるシリンダと、本体部とシリンダとの取付状態をロックするロック機構とを備えている。ロック機構は、シリンダの側方に位置し、シリンダの内部に配置されるスクリューの回転軸に対して平行又は略平行に設けられた回動軸を中心として回動するレバーと、レバーの回転動作に伴い、シリンダの外周面に設けられた穴部に対して進退移動するように設けられたロックピンとを備えている。ロックピンの一端部がシリンダの穴部の内側に位置するとき、本体部とシリンダとの取付状態がロックされる。ロックピンの一端部がシリンダの穴部の外側に位置するとき、前記取付状態のロックが解除される。【選択図】図６
2018176025.tif 000002
【特許請求の範囲】
【請求項１】
駆動源を有する本体部と、
一端部が前記本体部に着脱自在に取り付けられるシリンダと、
前記シリンダの内部に配置され、前記駆動源から駆動力を受けて軸周りに回転することによって、前記シリンダの内部に導入された調理材を、前記シリンダの他端部に向けて移動させるスクリューと、
前記シリンダの他端部に取り付けられ、前記スクリューの回転により前記シリンダの他端部に移動された前記調理材を切断するカッター部と、
前記本体部と前記シリンダとの取付状態をロックするロック機構と、
を備えるミートグラインダーであって、
前記ロック機構は、
前記シリンダの側方に位置し且つ前記スクリューの回転軸に対して平行又は略平行に設けられた回動軸を中心として回動するレバーと、
前記レバーの回転動作に伴い、前記シリンダの外周面に設けられた穴部に対して進退移動するように設けられたロックピンと、を備え、
前記ロックピンの一端部が前記シリンダの穴部の内側に位置するとき、前記本体部と前記シリンダとの取付状態がロックされ、
前記ロックピンの一端部が前記シリンダの穴部の外側に位置するとき、前記本体部と前記シリンダとの取付状態のロックが解除されるように構成された、
ミートグラインダー。
【請求項２】
前記レバーの自由端部が前記シリンダの外周面に近づく方向に前記回動軸を中心として回動されるとき、前記ロックピンの一端部が前記シリンダの穴部の内側に移動し、
前記レバーの自由端部が前記シリンダの外周面から離れる方向に前記回動軸を中心として回動されるとき、前記ロックピンの一端部が前記シリンダの穴部の外側に移動するように構成された、
請求項１に記載のミートグラインダー。
【請求項３】
前記レバーの固定端部は、前記回動軸から外壁面までの厚さが薄い薄肉部と、前記回動軸から外壁面までの厚さが前記薄肉部よりも厚い厚肉部とを有し、
前記ロックピンの一端部が前記シリンダの穴部の内側に位置するとき、前記厚肉部が前記ロックピンの他端部に接触し、前記ロックピンの一端部が前記シリンダの穴部の外側に位置するとき、前記薄肉部が前記ロックピンの他端部に接触する、
請求項１又は２に記載のミートグラインダー。
【請求項４】
前記厚肉部と前記薄肉部との厚さの差は、前記シリンダの穴部の深さ以上である、請求項３に記載のミートグラインダー。
【請求項５】
前記レバーの回動動作の間、前記ロックピンの他端部と前記レバーの固定端部とが互いに接触する状態が維持されるように、前記ロックピンの他端部を前記レバーの回動軸に向けて付勢する弾性部材を更に備える、
請求項１〜４のいずれか１項に記載のミートグラインダー。
【発明の詳細な説明】
【技術分野】
【０００１】
本発明は、ミートグラインダーに関し、より詳しくは、本体部とカッター部が内部に設けられるシリンダとの取付状態をロックするロック機構に関する。
【背景技術】
【０００２】
従来、ミートグラインダーのロック機構として、例えば、シリンダの一端部を本体部に挿入した後、所定の角度回転させることによりシリンダの一端部と本体部とを係合させ、本体部とシリンダとの取付状態をロックするように構成されたものが記載されている。
【０００３】
また、従来のミートグラインダーのロック機構として、例えば、特許文献１に記載されたものが知られている。特許文献１には、ネジの頭部に設けられたツマミを回転させることによってネジを進退移動させ、当該ネジにより本体部とシリンダとのロック状態をロックするように構成されたロック機構が記載されている。
【先行技術文献】
【特許文献】
【０００４】
【特許文献１】実公昭５８−５５９５４号公報
【発明の概要】
【発明が解決しようとする課題】
【０００５】
通常、ミートグラインダーのシリンダには、調理材を受け入れる受容器が一体的に取り付けられている。この受容器には、肉汁などの水分が残留することがある。このため、シリンダを回転させることによってシリンダの一端部を本体部に係合させる従来のロック機構では、シリンダを本体部から取り外すために当該シリンダを逆回転させたときに、受容器が傾いて、受容器内の水分がこぼれ落ちることが起こり得る。この場合、ミートグラインダーの周囲が水分によって汚損されることになる。
【０００６】
これに対して特許文献１のロック機構によれば、受容器を水平状態に維持しながら、シリンダを本体部に着脱することができる。
【０００７】
しかしながら、特許文献１のロック機構では、シリンダを本体部から取り外すとき、ツマミを回転させる必要がある。使用者の手は調理材の油などで滑りやすくなるため、ツマミを回転させることが容易ではない場合がある。従って、従来のミートグラインダーにおいては、シリンダの着脱をより容易に行うという観点で未だ改善の余地がある。
【０００８】
従って、本発明の目的は、前記課題を解決することにあって、シリンダの着脱及びロックをより容易に行うことができるミートグラインダーを提供することにある。
【課題を解決するための手段】
【０００９】
前記目的を達成するために、本発明に係るミートグラインダーは、
駆動源を有する本体部と、
一端部が前記本体部に着脱自在に取り付けられるシリンダと、
前記シリンダの内部に配置され、前記駆動源から駆動力を受けて軸周りに回転することによって、前記シリンダの内部に導入された調理材を、前記シリンダの他端部に向けて移動させるスクリューと、
前記シリンダの他端部に取り付けられ、前記スクリューの回転により前記シリンダの他端部に移動された前記調理材を切断するカッター部と、
前記本体部と前記シリンダとの取付状態をロックするロック機構と、
を備えるミートグラインダーであって、
前記ロック機構は、
前記シリンダの側方に位置し且つ前記スクリューの回転軸に対して平行又は略平行に設けられた回動軸を中心として回動するレバーと、
前記レバーの回転動作に伴い、前記シリンダの外周面に設けられた穴部に対して進退移動するように設けられたロックピンと、を備え、
前記ロックピンの一端部が前記シリンダの穴部の内側に位置するとき、前記本体部と前記シリンダとの取付状態がロックされ、
前記ロックピンの一端部が前記シリンダの穴部の外側に位置するとき、前記本体部と前記シリンダとの取付状態のロックが解除されるように構成されている。
【発明の効果】
【００１０】
本発明によれば、ミートグラインダーにおいて、シリンダの着脱及びロックをより容易に行うことができる。
【図面の簡単な説明】
【００１１】
【図１】本発明の実施形態に係るミートグラインダーの側面図である。
【図２】図１のミートグラインダーの断面図である。
【図３】図１のミートグラインダーのロック機構に関連する部品を分解して示す斜視図である。
【図４】図１のミートグラインダーをＡ１−Ａ１断面で切った本体部側の構成を示す斜視図である。
【図５】図１のミートグラインダーのシリンダに関連する部品を示す側面図である。
【図６】図１のＡ１−Ａ１断面図であり、ロック機構が本体部とシリンダとの取付状態をロックした状態を示す図である。
【図７】図１のＡ１−Ａ１断面図であり、ロック機構が本体部とシリンダとの取付状態のロックを解除した状態を示す図である。
【図８】図７の一部拡大図である。
【発明を実施するための形態】
【００１２】
本発明の第１態様によれば、
駆動源を有する本体部と、
一端部が前記本体部に着脱自在に取り付けられるシリンダと、
前記シリンダの内部に配置され、前記駆動源から駆動力を受けて軸周りに回転することによって、前記シリンダの内部に導入された調理材を、前記シリンダの他端部に向けて移動させるスクリューと、
前記シリンダの他端部に取り付けられ、前記スクリューの回転により前記シリンダの他端部に移動された前記調理材を切断するカッター部と、
前記本体部と前記シリンダとの取付状態をロックするロック機構と、
を備えるミートグラインダーであって、
前記ロック機構は、
前記シリンダの側方に位置し且つ前記スクリューの回転軸に対して平行又は略平行に設けられた回動軸を中心として回動するレバーと、
前記レバーの回転動作に伴い、前記シリンダの外周面に設けられた穴部に対して進退移動するように設けられたロックピンと、を備え、
前記ロックピンの一端部が前記シリンダの穴部の内側に位置するとき、前記本体部と前記シリンダとの取付状態がロックされ、
前記ロックピンの一端部が前記シリンダの穴部の外側に位置するとき、前記本体部と前記シリンダとの取付状態のロックが解除されるように構成された、
ミートグラインダーを提供する。
【００１３】
本発明の第２態様によれば、前記レバーの自由端部が前記シリンダの外周面に近づく方向に前記回動軸を中心として回動されるとき、前記ロックピンの一端部が前記シリンダの穴部の内側に移動し、
前記レバーの自由端部が前記シリンダの外周面から離れる方向に前記回動軸を中心として回動されるとき、前記ロックピンの一端部が前記シリンダの穴部の外側に移動するように構成された、第１態様に記載のミートグラインダーを提供する。
【００１４】
本発明の第３態様によれば、前記レバーの固定端部は、前記回動軸から外壁面までの厚さが薄い薄肉部と、前記回動軸から外壁面までの厚さが前記薄肉部よりも厚い厚肉部とを有し、
前記ロックピンの一端部が前記シリンダの穴部の内側に位置するとき、前記厚肉部が前記ロックピンの他端部に接触し、前記ロックピンの一端部が前記シリンダの穴部の外側に位置するとき、前記薄肉部が前記ロックピンの他端部に接触する、第１又は２態様に記載のミートグラインダーを提供する。
【００１５】
本発明の第４態様によれば、前記厚肉部と前記薄肉部との厚さの差は、前記シリンダの穴部の深さ以上である、第３態様に記載のミートグラインダーを提供する。
【００１６】
本発明の第５態様によれば、前記レバーの回動動作の間、前記ロックピンの他端部と前記レバーの固定端部とが互いに接触する状態が維持されるように、前記ロックピンの他端部を前記レバーの回動軸に向けて付勢する弾性部材を更に備える、第１〜４態様のいずれか１つに記載のミートグラインダーを提供する。
【００１７】
以下、本発明の実施形態について、図面を参照しながら説明する。なお、この実施形態によって本発明が限定されるものではない。
【００１８】
《実施形態》
本発明の実施形態に係るミートグラインダーの全体構造について説明する。
【００１９】
図１は、本発明の実施形態に係るミートグラインダーの側面図である。図２は、図１のミートグラインダーの断面図である。なお、図２においては、ハッチングを省略している。
【００２０】
図１又は図２に示すように、本実施形態に係るミートグラインダー１は、本体部２と、シリンダ３と、スクリュー４と、カッター部５と、ロック機構６とを備えている。
【００２１】
本体部２には、図２に示すように、スクリュー４の駆動力を発生させる駆動源２１と、駆動源２１が発生させた駆動力をスクリュー４に伝達する伝達機構２２とが内蔵されている。本体部２の側面には、図１に示すように、駆動源２１のオンオフ等を切り換える電源スイッチ９が設けられている。
【００２２】
また、本体部２には、シリンダ３の一端部３Ａが着脱自在に取り付けられている。本体部２とシリンダ３の一端部３Ａとの取り付け状態は、ロック機構６によってロックされている。ロック機構６の具体的な構成については後で詳しく説明する。
【００２３】
シリンダ３の側面上部には、肉などの調理材をシリンダ３の内部に投入するための投入筒７の一端部７Ａが一体的に取り付けられている。投入筒７の他端部７Ｂには、調理材を受け入れる受容器８が取り付けられている。受容器８は、より多く調理材を受け入れられるように投入筒７の直径よりも大きい直径を有している。
【００２４】
シリンダ３の内部には、図２に示すように、スクリュー４が配置されている。スクリュー４の回転軸４１の一端部４１Ａは、本体部２の伝達機構２２の出力軸２３に着脱自在に取り付けられている。スクリュー４は、伝達機構２２を介して駆動源２１から駆動力を受けて軸周りに回転することによって、投入筒７から導入された調理材を、シリンダ３の他端部３Ｂに向けて移動させるように構成されている。
【００２５】
シリンダ３の他端部３Ｂには、カッター部５が取り付けられている。カッター部５は、スクリュー４の回転によりシリンダ３の他端部３Ｂに移動された調理材を切断するように構成されている。本実施形態において、カッター部５は、図２に示すように、回転カッター５１と、固定カッター５２とを備えている。回転カッター５１は、調理材を切断するための複数の刃を有している。固定カッター５２は、回転カッター５１により切断された調理材が通過する複数の孔５２ａを有している（図３参照）。スクリュー４の回転によりシリンダ３の他端部３Ｂに移動された調理材は、回転カッター５１によって切断された後、固定カッター５２の複数の孔５２ａを通過することで、ミンチ状に調理される。
【００２６】
次に、ロック機構６のより具体的な構造について説明する。図３は、図１のミートグラインダーのロック機構に関連する部品を分解して示す斜視図である。図４は、図１のミートグラインダーをＡ１−Ａ１断面で切った本体部側の構成を示す斜視図である。図５は、図１のミートグラインダーのシリンダに関連する部品を示す側面図である。
【００２７】
図３に示すように、本実施形態において、ロック機構６は、略円筒状の着脱ユニットベース２４と、略円筒状の着脱ユニットカバー２５とを備えている。
【００２８】
着脱ユニットベース２４の一端部２４Ａは、複数のネジ２６によって本体部２に取り付けられる。より具体的には、本体部２が備える伝達機構２２のケースに取り付けられる。着脱ユニットベース２４の一端部２４Ａの開口部には、伝達機構２２の出力軸２３が挿入される。着脱ユニットベース２４の他端部２４Ｂの開口部には、シリンダ３の一端部３Ａが挿入される。
【００２９】
着脱ユニットカバー２５は、着脱ユニットベース２４の外周面を覆うように配置されている。着脱ユニットカバー２５の一端部２５Ａは、着脱ユニットベース２４に取り付けられる。この着脱ユニットカバー２５により、調理材などが着脱ユニットベース２４に付着することが抑えられている。
【００３０】
また、図４に示すように、着脱ユニットベース２４は、外筒部２４１と内筒部２４２とを備える二重管構造を有している。着脱ユニットベース２４が伝達機構２２のケースに取り付けられた状態において、外筒部２４１と内筒部２４２とは、スクリュー４の回転軸４１と一致するように同軸に位置する。また、内筒部２４２の内側には、伝達機構２２の出力軸２３が位置する。
【００３１】
図４に示すように、本実施形態において、伝達機構２２の出力軸２３の先端部は、円筒状に形成されている。出力軸２３の先端部の内周面は、多角形（例えば、六角形）に形成されている。出力軸２３の先端部の内周面には、図２に示すように、スクリュー４の回転軸４１の一端部４１Ａが挿入される。スクリュー４の回転軸４１の一端部４１Ａは、出力軸２３の先端部の内周面に嵌合するように多角形（例えば、六角形）に形成されている。スクリュー４の回転軸４１の一端部４１Ａが出力軸２３の先端部の内周面に挿入された状態において、シリンダ３の一端部３Ａの外周面は、内筒部２４２の内周面に嵌合するように位置する（図６参照）。このようにして、シリンダ３の一端部３Ａが本体部２に取り付けられる。
【００３２】
また、図４に示すように、ロック機構６は、レバー６１と、回動軸６２と、ロックピン６３とを備えている。
【００３３】
レバー６１は、シリンダ３の側方に位置する回動軸６２に固定端部６１Ａが取り付けられている。回動軸６２は、スクリュー４の回転軸４１に対して平行又は略平行になるように、外筒部２４１の側面に設けられた一対の支持部材２７に軸支されている。レバー６１は、回動軸６２を中心として、例えば約９０度の範囲で回動するように構成されている。回動軸６２は、着脱ユニットカバー２５により、支持部材２７から抜けないように覆われている。
【００３４】
着脱ユニットベース２４の外筒部２４１及び内筒部２４２の側面には、互いに対向する位置に貫通穴２４１ａ，２４２ａが設けられている。また、シリンダ３の一端部３Ａは、他端部３Ｂに比べて直径が小さく形成されている。シリンダ３の一端部３Ａの外周面には、貫通穴２４１ａ，２４２ａに対向する位置にテーパ状に凹んだ穴部３０が設けられている。
【００３５】
ロックピン６３は、レバー６１の回転動作に伴い、シリンダ３の穴部３０及び着脱ユニットベース２４の貫通穴２４１ａ，２４２ａに対して進退移動するように設けられている。ロックピン６３の一端部６３Ａがシリンダ３の穴部３０の内側に位置するとき、本体部２とシリンダ３との取付状態がロックされる。一方、ロックピン６３の一端部６３Ａがシリンダ３の穴部３０に外側に位置するとき、本体部２とシリンダ３との取付状態のロックが解除される。ロックピン６３の一端部６３Ａは、例えば、円錐状に形成されている。ロックピン６３の一端部６３Ａの頂角βは、穴部３０の頂角αと同じか、若しくは頂角αよりも大きくなっている（図８参照）。
【００３６】
ロックピン６３の他端部６３Ｂは、一端部６３Ａよりも直径が大きく形成されている。ロックピン６３の外周面には、弾性部材の一例であるバネ６４が配置されている。バネ６４は、ロックピン６３の他端部６３Ｂと着脱ユニットベース２４の内筒部２４２との間に配置され、レバー６１の回動動作に伴い、それらの距離が変位することにより弾性変形する。バネ６４は、レバー６１の回動動作の間、ロックピン６３の他端部６３Ｂとレバー６１の固定端部６１Ａとが互いに接触する状態が維持されるように、ロックピン６３の他端部６３Ｂをレバーの回動軸６２に向けて付勢するように設けられている。
【００３７】
図６は、図１のＡ１−Ａ１断面図であり、ロック機構が本体部とシリンダとの取付状態をロックした状態を示す図である。図７は、図１のＡ１−Ａ１断面図であり、ロック機構が本体部とシリンダとの取付状態のロックを解除した状態を示す図である。図８は、図７の一部拡大図である。
【００３８】
図６に示すように、ロック機構６が本体部２とシリンダ３との取付状態をロックした状態において、レバー６１の自由端部６１Ｂは、着脱ユニットカバー２５（又はシリンダ３）の外周面の上部近傍に位置する。また、このとき、ロックピン６３の一端部６３Ａがシリンダ３の穴部３０の内側に位置し、本体部２とシリンダ３との取付状態がロックされる。また、このとき、ロックピン６３の他端部６３Ｂは、レバー６１の固定端部６１Ａの厚肉部６１Ａａに接触している。厚肉部６１Ａａは、回動軸６２からレバー６１の外壁面までの厚さが厚い部分である。また、バネ６４は、ロックピン６３の他端部６３Ｂと着脱ユニットベース２４の内筒部２４２との間で圧縮されて弾性変形している。
【００３９】
本体部２とシリンダ３との取付状態は、レバー６１の自由端部６１Ｂが着脱ユニットカバー２５（又はシリンダ３）の外周面の上部近傍から離れる方向に回動軸６２を中心として回動されることにより解除される。
【００４０】
図７に示すように、ロック機構６が本体部２とシリンダ３との取付状態のロックを解除した状態において、レバー６１の自由端部６１Ｂは、着脱ユニットカバー２５（又はシリンダ３）の外周面の上部近傍から離れて位置する。このとき、ロックピン６３の一端部６３Ａがシリンダ３の穴部３０の外側に位置し、本体部２とシリンダ３との取付状態のロックが解除される。また、このとき、ロックピン６３の他端部６３Ｂは、バネ６４の弾性力によりレバー６１の固定端部６１Ａの薄肉部６１Ａｂに接触する。薄肉部６１Ａｂは、回動軸６２からレバー６１の外壁面までの厚さが厚肉部６１Ａａよりも薄い部分である。すなわち、図８に示すように、厚肉部６１Ａａの厚さをｒ１とし、薄肉部６１Ａｂの厚さをｒ２とすると、ｒ１＞ｒ２の関係が成り立つ。
【００４１】
また、図８に示すように、厚肉部６１Ａａと薄肉部６１Ａｂとの厚さの差（ｒ１−ｒ２）は、シリンダ３の穴部３０の深さｄ以上（すなわち、ｒ１−ｒ２≧ｄ）であるように構成されている。これにより、ロックピン６３の一端部６３Ａを穴部３０の底部に所定圧力で接触させることができ、本体部２とシリンダ３との取付状態をより安定的にロックすることができる。なお、厚肉部６１Ａａと薄肉部６１Ａｂとの厚さの差がシリンダ３の穴部３０の深さよりも大き過ぎると、ロックピン６３に関連する部品に係る負荷が過剰に大きくなり得る。このため、厚肉部６１Ａａと薄肉部６１Ａｂとの厚さの差は、シリンダ３の穴部３０の深さよりもやや大きい程度（例えば、１ｍｍ）でよい。
【００４２】
本実施形態に係るミートグラインダー１によれば、レバー６１の回転動作に伴い、ロックピン６３がシリンダ３の穴部３０に対して進退移動し、本体部２とシリンダ３との取付状態のロック又はロック解除を切り換えるように構成されている。この構成によれば、本体部２にシリンダ３を着脱するとき、受容器８を傾ける必要がないので、受容器８内の水分がこぼれ落ちることを抑えることができる。また、使用者の手が調理材の油などで滑りやすくなっていても、レバー６１を回動させるだけで容易に本体部２とシリンダ３との取付状態のロックを解除することができる。従って、シリンダ３の着脱及びロックをより容易に行うことができる。
【００４３】
なお、本発明は前記実施形態に限定されるものではなく、その他種々の態様で実施できる。例えば、前記では、着脱ユニットベース２４と着脱ユニットカバー２５とをロック機構６が備えるものとしたが、本発明はこれに限定されない。例えば、着脱ユニットベース２４と着脱ユニットカバー２５とは本体部２が備えてもよい。
【００４４】
また、前記では、バネ６４によりロックピン６３の他端部６３Ｂをレバー６１の回動軸６２に向けて付勢するようにしたが、本発明はこれに限定されない。例えば、ロックピン６３の他端部６３Ｂとレバー６１の固定端部６１Ａとを連結するリンク部材（図示せず）を設けて、レバー６１の回動動作に伴ってリンク部材がロックピン６３を進退移動させるように構成されてもよい。
【００４５】
なお、前記では、回動軸６２とレバー６１とは別部品であるものとしたが、本発明はこれに限定されない。例えば、回動軸６２は、レバー６１と一体化されてもよい。すなわち、回動軸６２は、レバー６１の一部であってもよい。
【００４６】
また、前記では、シリンダ３の一端部３Ａの外周面に設けられた穴部３０がテーパ状の凹部であるものとしたが、本発明はこれに限定されない。例えば、穴部３０は、貫通穴であってもよい。
【００４７】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、本発明の請求の範囲内に含まれると理解されるべきである。
【産業上の利用可能性】
【００４８】
本発明は、シリンダの着脱及びロックをより容易に行うことができるので、特に、シリンダの着脱が頻繁に行われるミートグラインダーに有用である。
【符号の説明】
【００４９】
１      ミートグラインダー
２      本体部
３      シリンダ
３Ａ    一端部
３Ｂ    他端部
４      スクリュー
５      カッター部
６      ロック機構
７      投入筒
７Ａ    一端部
７Ｂ    他端部
８      受容器
９      電源スイッチ
２１      駆動源
２２      伝達機構
２３      出力軸
２４      着脱ユニットベース
２４Ａ    一端部
２４Ｂ    他端部
２４１    外筒部
２４１ａ  貫通穴
２４２    内筒部
２４２ａ  貫通穴
２５      着脱ユニットカバー
２５Ａ    一端部
２６      ネジ
２７      支持部材
３０      穴部
４１      回転軸
４１Ａ    一端部
５１      回転カッター
５２      固定カッター
５２ａ    孔
６１      レバー
６１Ａ    固定端部
６１Ｂ    自由端部
６１Ａａ  厚肉部
６１Ａｂ  薄肉部
６２      回動軸
６３      ロックピン
６３Ａ    一端部
６３Ｂ    他端部
６４      バネ（弾性部材）
【図１】
2018176025.tif 000003
【図２】
2018176025.tif 000004
【図３】
2018176025.tif 000005
【図４】
2018176025.tif 000006
【図５】
2018176025.tif 000007
【図６】
2018176025.tif 000008
【図７】
2018176025.tif 000009
【図８】
2018176025.tif 000010